(57)【要約】  情報基地（１）が短距離の無線リンクによってモバイル（３）と対話式に情報を通信する情報公開システム。各モバイルがインターフェースソフトウェアを有しおり、このソフトウェアにより、情報基地はモバイルの画面（３ａ）に、その画面があたかも情報基地の装置であるかのように情報を表示でき、かつ、ユーザは前記モバイルのキーパッド（３ｂ）によって、モバイルの入力インターフェースがあたかも情報基地の装置であるかのように情報基地にデータを送ることができる。
2009538017.tif 000002
【特許請求の範囲】
【請求項１】
電子機器用中央演算処理装置（４）を有する情報基地（１）がユーザと対話式に情報を通信する情報公開方法であって、
所定の無線通信プロトコルを使用して前記情報基地（１）と短距離の双方向無線リンクを確立するように構成され、ユーザに携帯されるいくつかのタイプのモバイル（３）を使用することを特徴とし、ここで、各モバイルは、画面（３ａ）と入力インターフェース（３ｂ）とに接続された電子機器用中央演算処理装置（７）を有しユーザがモバイル（３）にデータを送ることができるようになっており、
かつ、次のステップ：
（ａ）無線リンクを確立するステップであって、その無線リンクにおいては、前記モバイル（３）の１つが前記情報基地（１）の周辺に到達すると前記無線通信プロトコルを使用して情報基地（１）とモバイル（３）との間に双方向の無線通信が確立される、ステップと、
（ｂ）対話式通信のステップであって、その対話式通信においては、
前記情報基地の前記中央演算処理装置（４）が、モバイルの前記中央演算処理装置（７）にロードされたインターフェースソフトウェア（８）によって前記モバイルの画面（３ａ）に前記情報を表示し、前記情報基地の前記中央演算処理装置（４）は前記モバイルのタイプに依存しない形式で情報を送信し、表示されるべき前記情報は、インターフェースソフトウェア（８）によって前記モバイルの画面（３ａ）の制御に互換性のある形式に変換され、
ユーザが前記モバイルの入力インターフェース（３ｂ）を用いて情報基地（１）にデータを送り、当該データが、前記インターフェースソフトウェア（８）によって情報基地の前記中央演算処理装置（４）と互換性のある形式に変換されてモバイルのタイプと無関係に前記情報基地に転送される、ステップと、
を備えることを特徴とする、情報公開方法。
【請求項２】
前記無線通信プロトコルが、Ｂｌｕｅｔｏｏｔｈプロトコル、ＺｉｇＢｅｅプロトコル、およびＷｉ−Ｆｉプロトコルから選択される、請求項１に記載の情報公開方法。
【請求項３】
前記情報基地（１）がローカルデータベースを備えており、
このローカルデータベースは中央サーバ（２）にある汎用データベースから時間間隔をおいて供給される、請求項１または２に記載の情報公開方法。
【請求項４】
ユーザと対話式に情報を通信可能な少なくとも１つの情報基地（１）を備え、該情報基地が電子機器用中央演算処理装置（４）を有している情報公開システムであって、
さらに、
いくつかのタイプのモバイル（３）であって、ユーザが該モバイル（３）でデータを送ることができるように、それぞれが、画面（３ａ）および入力インターフェース（３ｂ）に接続された電子機器用中央演算処理装置（７）を含んでいるモバイル（３）を備えていることを特徴とし、
前記モバイル（３）が前記情報基地（１）の周辺に到達すると、該情報基地（１）と各モバイル（３）とが所定の無線通信プロトコルを使用して相互間に短距離の双方向無線リンクを自動的に確立できるようになっており、
かつ、前記モバイルの前記中央演算処理装置（７）が、インターフェースソフトウェア（８）：
前記情報基地（１）の前記中央演算処理装置（４）から発する表示命令を、前記モバイルの画面（３ａ）の制御と互換性のある形式に変換して、情報基地の前記中央演算処理装置（４）がモバイルのタイプに依存しない形式で当該情報を送信するようにすることと、
前記モバイルの入力インターフェース（３ｂ）から受信したデータを、前記基地の前記中央演算処理装置（４）と互換性のある形式に変換して当該データを前記情報基地（１）に送信することと、
を行うことができるインターフェースソフトウェア（８）を含むことを特徴とする、情報公開システム。
【請求項５】
無線通信プロトコルが、Ｂｌｕｅｔｏｏｔｈプロトコル、ＺｉｇＢｅｅプロトコル、およびＷｉ−Ｆｉプロトコルから選択される、請求項４に記載の情報公開システム。
【請求項６】
それぞれがローカルデータベースを有しているいくつかの情報基地（１）であって、
各情報基地が、中央サーバ（２）にある汎用データベースから時間間隔をおいて前記ローカルデータベースを補充するために、前記中央サーバと通信して問合せをすることができる、いくつかの情報基地（１）を備えている、請求項４または５に記載の情報公開システム。
【請求項７】
前記モバイルの入力インターフェースがキーボード（３ｂ）を含む、請求項４〜６のいずれか１項に記載のシステム。
【請求項８】
前記情報基地（１）にキーボードまたは画面がない、請求項４〜７のいずれか１項に記載のシステム。
【発明の詳細な説明】
【技術分野】
【０００１】
本発明は、情報公開の方法およびシステムに関する。
【０００２】
さらに詳細には、本発明は、電子機器用中央演算処理装置を有する情報基地がユーザと対話式に情報を通信する情報公方法に関する。
【背景技術】
【０００３】
情報基地が、公共の場所に配置されるとともに画面およびキーボードを装備した対話式端末であるこのタイプの方法は公知である。
【０００４】
このような対話式端末は、次のようないくつかの欠点を有する。
画面に情報を提示することがプライバシーに欠ける。
このような対話式端末は、一度に一人のユーザにのみ情報を与えることができる。
このような対話式端末は、破壊行為を受けやすい。
【発明の概要】
【発明が解決しようとする課題】
【０００５】
本発明は、特にこれらの欠点を改善するという目的を有する。
【課題を解決するための手段】
【０００６】
この目的のために、本発明によれば、当該タイプの方法は、
所定の無線通信プロトコルを使用して情報基地と短距離の双方向無線リンクを確立できユーザに携帯されるいくつかのタイプのモバイルを使用することを特徴とし、ここで、各モバイルは、画面と入力インターフェースとに接続された電子機器用中央演算処理装置を有しユーザがモバイルにデータを送ることができるようになっており、
かつ、次のステップ：
（ａ）無線リンクを確立するステップであって、その無線リンクにおいては、前記モバイルの１つが前記情報基地の周辺に到達すると前記無線通信プロトコルを使用して情報基地とモバイルとの間に双方向の無線通信が確立される、ステップと、
（ｂ）対話式通信のステップであって、その対話式通信においては、
前記情報基地の前記中央演算処理装置が、モバイルの前記中央演算処理装置にロードされたインターフェースソフトウェアによって前記モバイルの画面に前記情報を表示し、前記モバイルの画面があたかも前記情報基地の周辺装置であるかのように、前記情報基地の前記中央演算処理装置が前記モバイルのタイプに依存しない形式で情報を送信し、表示用の前記情報は、インターフェースソフトウェアによって前記モバイルの画面の制御に互換性のある形式に変換され、
ユーザが前記モバイルの入力インターフェースを用いて情報基地にデータ（特にコマンド）を送り、当該データが、前記モバイルの入力インターフェースがあたかも前記情報基地の周辺装置であるかのように、前記インターフェースソフトウェアによって情報基地の前記中央演算処理装置と互換性のある形式に変換されてモバイルのタイプと無関係に前記情報基地に転送される、ステップと、
を備えることを特徴とする。
【０００７】
こうした構成によって、ユーザは、要求した情報を自身のモバイルに完全に個人的に受信し、基地は、任意であるが、一度に数人のユーザに情報を与えることができる。また、任意であるが、情報基地はもはや画面およびキーボードを含む必要はなく、これにより破壊行為の受けやすさが軽減される（さらに、情報基地が、建造物またはストリートファニチャーの中に完全に覆い隠されており、単に通知または類似物によって示されてもよい）。
【０００８】
本発明による方法の様々な実施形態では、さらに、任意であるが、次の構成の１つおよび／または別の１つを使用することが可能である。
無線通信プロトコルが、Ｂｌｕｅｔｏｏｔｈ（登録商標）プロトコル、ＺｉｇＢｅｅ（登録商標）プロトコル、およびＷｉ−Ｆｉ（登録商標）プロトコルから選択される。
情報基地がローカルデータベースを含み、このローカルデータベースは、中央サーバにある汎用データベースから時間間隔をおいて供給される。
【０００９】
また本発明のさらなる主題は、ユーザに対話式に情報を送ることができる、電子機器用中央演算処理装置を含んでいる少なくとも１つの情報基地、を含む情報公開システムであって、
さらに、
いくつかのタイプのモバイルであって、ユーザが該モバイルでデータを送ることができるように、それぞれが、画面および入力インターフェースに接続された電子機器用中央演算処理装置を含んでいるモバイルを備えていることを特徴とし、
前記モバイルが前記情報基地の周辺に到達すると、該情報基地と各モバイルとが所定の無線通信プロトコルを使用して相互間に短距離の双方向無線リンクを自動的に確立できるようになっており、
かつ、前記モバイルの前記中央演算処理装置がソフトウェアインターフェース：
前記情報基地の前記中央演算処理装置から発する表示命令を、前記モバイルの画面の制御と互換性のある形式に変換して、前記モバイルの画面があたかも前記情報基地の中央演算処理装置の周辺装置であるかのように、情報基地の前記中央演算処理装置がモバイルのタイプに依存しない形式で当該情報を送信するようにすることと、
前記モバイルの入力インターフェースから受信したデータ（特にコマンド）を、前記モバイルの入力インターフェースがあたかも前記情報基地の中央演算処理装置の周辺装置であるかのように、前記基地の前記中央演算処理装置と互換性のある形式に変換して当該データを前記情報基地に送信することと、
を行うことができるインターフェースソフトウェアを含むことを特徴とする。
【００１０】
本発明によるシステムの様々な実施形態では、さらに、任意であるが、次の構成の１つおよび／または別の１つを使用することが可能である。
無線通信プロトコルが、Ｂｌｕｅｔｏｏｔｈプロトコル、ＺｉｇＢｅｅプロトコル、およびＷｉ−Ｆｉプロトコルから選択される。
システムが、それぞれがローカルデータベースを有しているいくつかの情報基地を備えており、この情報基地は、中央サーバにある汎用データベースから時間間隔をおいてローカルデータベースを補充するために、中央サーバと通信して問合せをすることができるようになっている。
モバイルの入力インターフェースが、キーボードを備えている。
情報基地にキーボードまたは画面がない。
【００１１】
本発明の他の特徴および利点は、その実施形態の１つを、添付の図面と関連する非限定的な例として次に説明することから明らかになるであろう。
【図面の簡単な説明】
【００１２】
【図１】本発明の一実施形態による情報システムの線図である。
【図２】図１の情報システムの一部を示すブロック図である。
【発明を実施するための形態】
【００１３】
様々な図面において、同じ参照符号は、同一の要素または同様の要素を示す。
【００１４】
図１は情報公開システムを表しており、このシステムは少なくとも１つの情報基地１（実施例では複数の情報基地１）を含んでおり、情報基地１は、例えば有線または無線リンクによる任意の既知の手段によって例えば中央サーバ２（ＳＥＲＶ．）と通信できる。各情報基地１は、また、複数のモバイル３とローカルに通信することができ、この通信は、例えば、Ｂｌｕｅｔｏｏｔｈプロトコル（ＩＥＥＥ標準８１５．１５．１）、ＺｉｇＢｅｅプロトコル（ＩＥＥＥ標準８０２．１５．４）、またはＷｉ−Ｆｉプロトコル（ＩＥＥＥ標準８０２．１１）などの所定の双方向無線通信プロトコルを用いた短距離の無線リンクによる。
【００１５】
情報基地１とモバイル３との間の無線リンクの範囲は、例えば数十メートル程度、一般には２００ｍ未満であってもよい。各情報基地１の周囲の短距離の無線リンクによってカバーされる地理的な区域が、図１において、一点鎖線で示された境界１ａで表されている。
【００１６】
情報基地１は、例えばキーボードまたは画面のない端末１の形態であってもよい（これにより、実質的に破壊行為の影響を受けない）。前記情報基地１は、一般の人々には見えず、建造物またはストリートファニチャーに組み込まれていてもよい。後者の場合、情報基地１のおよその位置が、通知またはその他の手段によって一般の人々に示されてもよく、これにより、モバイル３のユーザは、以下に説明するように、情報を受信できるためにはどのエリアに位置していなければならないかがわかる。
【００１７】
モバイル３に関し、それらは例えば、上記無線通信プロトコルにより動作する短距離無線リンクを備えた携帯電話、または携帯情報端末、またはこのような無線リンクのインターフェースを有するいかなる他の電子機器であってもよい。各モバイル３は、画面３ａと、キーボード３ｂまたは他の入力インターフェースと、を備えている。
【００１８】
図２に示すように、情報基地１は例えば、マイクロプロセッサ、マイクロコントローラその他のような電子機器用中央演算処理装置４（ＵＣ）を有していてもよく、これは、サーバ２と通信可能な第１の通信インターフェース５（ＣＯＭ１）に接続され、また、上記無線通信プロトコルを使用してモバイル３と通信可能な第２の通信インターフェース６（ＣＯＭ２）に接続されている。
【００１９】
各モバイル３に関し、これらもまた、マイクロプロセッサ、マイクロコントローラその他のような電子機器用中央演算処理装置７（ＵＣ）を有しており、これは、上記無線通信プロトコルを使用して情報基地１と通信することができる通信インターフェース９（ＣＯＭ３）に接続されている。
【００２０】
さらに、各モバイル３の中央演算処理装置７にはインターフェースソフトウェア８（ＩＮＴ．）がロードされており、このソフトウェアは、モバイル３のタイプとは無関係に、情報基地１とモバイル３との間の通信を標準化することができる。このソフトウェアは、例えば、モバイル３によって可能であればＪａｖａ（登録商標）の下で、または、可能でなければモバイル３の特定のオペレーティングシステムの下で、プログラムすることができる。
【００２１】
さらに詳細には、インターフェースソフトウェア８は、
情報基地１から発せられる表示命令をモバイルの画面３ａの制御と互換性のある形式に変換し、これにより、モバイルの画面があたかも基地の周辺装置であるかのように、情報基地１が、モバイルのタイプとは無関係に、情報をモバイルの画面３ａ上に表示させることができるようにすることと、
モバイルのキーボード３ｂから受信したデータ（すなわち実施例では必須のコマンド）を、基地１と互換性のある形式に変換しこのデータを基地に転送し、これにより、モバイルのキーボード３ｂがあたかも基地の周辺装置であるかのように、前記データがモバイル３のタイプとは無関係に基地に受信可能にすることと、が可能である。
【００２２】
結果として、インターフェースソフトウェア８は、モバイル３のタイプによって様々であり、各情報基地１とモバイル３の通信を標準化することができる。
【００２３】
ここで想定する実施形態では、各情報基地１はメモリ内にローカルデータベースを有しており、これには、情報基地１の位置についての関連情報がロードされる。このローカルデータベースを最新状態にしておくために、各情報基地１は、汎用データベースを含んでいる中央サーバ２に決まった時間間隔で問合せを行い、ここから、当該情報基地１に関連付けられた任意の所定基準に対応する情報を取得する。
【００２４】
一例として、汎用データベースからの各レコード（「イベント」）は、例えば次のインデックスに割り当てることが可能である。
【００２５】
地理座標
総合件名
特定件名
詳細件名
【００２６】
各情報基地は、さらに、それ自体の地理座標によって特徴付けられている。
【００２７】
したがって、情報基地１がサーバ２に問い合わせると、サーバは、地理的関連情報（すなわちデータベースのレコードであって、その地理座標が、例えば、当該情報基地１から所定の限度未満の距離に位置しているデータベースレコード）を情報基地に送信する。
【００２８】
このようにして汎用データベースから取得された情報は、当該情報基地１のローカルデータベースに送信されるとともに、例えば総合、特定、および詳細の件名（各特定件名は総合件名の細分であり、各詳細件名は特定件名の細分である）でグループ化され、次いで情報基地１の中の情報にアクセスするための階層構造を決定する。
【００２９】
当該総合件名、特定件名、および詳細件名は、あらかじめ定義されていてもよい。
【００３０】
例えば、総合件名は、レジャーおよび交通機関であってもよい。この「レジャー」というこの件名の中の特定件名は、例えば博物館および映画館を含んでいてもよい。「博物館」というこの特定件名の中の詳細件名は、例えば、絵画および彫刻を含んでいてもよい。「映画館」というこの特定件名の中の詳細件名は、例えば、コメディ映画、探偵映画などを含んでいてもよい。同様に、「交通機関」という総合件名については、特定件名は、例えば、バスおよび地下鉄を含んでいてもよく、また、こうした各特定件名の中の詳細件名は、路線および停留所を含んでいてもよい。
【００３１】
説明した情報システムは、次のように動作する。
モバイル３を装備したユーザが情報基地１の範囲１ａ内に入ると、情報基地１とモバイル３との間に無線リンクが自動的に確立され、無線通信プロトコルはアドホックネットワークを確立することができる。
【００３２】
情報基地は、次いで、表示するページをモバイル３に送信してもよく、この送信は、（任意であるがユーザがダイアログを受け取った後に、もしくは、ユーザがダイアログを要求した後に、また、該当する場合、ユーザが購読を申し込んだという条件の下で）インターフェースソフトウェア８を使用して行われる。
【００３３】
表示するこれらのページは、例えば、画像および／またはテキストならびにスクロールメニューを含む。これらのページはモバイルの画面３ａに表示され、モバイル３のユーザは、例えばキーボード３ｂの方向キーを用いてスクロールメニューでカーソルを動かすことができる。
【００３４】
ユーザが、キーボード３ｂのあらかじめ定義された確認キーを用いてスクロールメニューの選択を確認すると、その確認が、インターフェースソフトウェア８によって情報基地１に送信され、その後、情報基地１は、スクロールメニューでユーザが行った選択に従って、表示する新しいページを送信する（または、適切な場合、モバイル３との対話式ダイアログを終了する）。
【００３５】
このように、ユーザは、総合情報、旅行情報、もしくは実用的な情報（公共交通機関の時刻表もしくは待ち時間、無料の公共自転車の利用可能性など）、またはその他を受信することができる。
【００３６】
この情報はユーザに個人的に提供される。さらに、情報基地１は、数個のモバイル３と同時に対話し、数人のユーザに同時に情報を与えてもよい。
【図１】
2009538017.tif 000003
【図２】
2009538017.tif 000004
【国際調査報告】
2009538017.tif 000005
2009538017.tif 000006
2009538017.tif 000007
2009538017.tif 000008